【手続補正書】
【提出日】平成20年8月1日(2008.8.1)
【手続補正１】
【補正対象書類名】明細書
【補正対象項目名】特許請求の範囲
【補正方法】変更
【補正の内容】
【特許請求の範囲】
【請求項１】  動画データを再生する再生手段と、
前記再生手段によって再生される単一の動画の複数のシーンに対応する複数の縮小画を同時に表示する縮小画列を表示する縮小画列表示手段と、
前記縮小画列の中から指定された縮小画に対応するシーンへジャンプして動画再生を行なうよう前記再生手段を制御する再生制御手段と、
前記再生手段で再生されているシーンに対応する縮小画を含むように、該再生手段による動画再生と同期して前記縮小画列の前記複数の縮小画の表示内容を更新する更新手段と、
縮小画を指定するためのカーソルが、前記縮小画列から縮小画を指定可能な領域に存在する間、前記更新手段による縮小画列内の前記複数の縮小画の表示内容の更新を禁止する禁止手段とを備えることを特徴とする動画像検索装置。
【請求項２】  前記更新手段は、前記再生手段によって再生されている動画が既に記録済みの場合には表示されているシーンに対応する縮小画が前記縮小画列の中央部に位置するように該縮小画列の前記複数の縮小画の表示内容を更新し、前記再生手段によって再生されている動画が記録中の場合には表示されているシーンに対応する縮小画が前記縮小画列の終端位置に来るように該縮小画列の前記複数の縮小画の表示内容を更新することを特徴とする請求項１に記載の動画像検索装置。
【請求項３】  前記縮小画列中において前記再生手段によって再生されているシーンに対応する縮小画を指し示すシンボルを表示するシンボル表示手段を更に備え、
前記禁止手段によって前記更新手段による更新処理が禁止されている間は、前記シンボルの表示形態が変更されることを特徴とする請求項１又は２に記載の動画像検索装置。
【請求項４】  前記更新手段は、前記再生手段によって再生されているシーンに対応する縮小画が前記縮小画列に存在しなくなった場合に該縮小画列の前記複数の縮小画の表示内容の更新を行ない、
前記縮小画列中の縮小画のうち、現在再生されているシーンに対応する縮小画を示すようにシンボルを表示するシンボル表示手段を更に備えることを特徴とする請求項１に記載の動画像検索装置。
【請求項５】  前記禁止手段によって前記更新手段による更新が禁止されている間は、前記シンボルの表示形態が変更されることを特徴とする請求項４に記載の動画像検索装置。
【請求項６】  前記再生手段は、前記禁止手段が前記更新手段による前記縮小画列における前記複数の縮小画の表示内容の更新を禁止する間も、前記単一の動画の再生を継続することを特徴とする請求項１に記載の動画像検索装置。
【請求項７】  動画データを再生する再生手段と、
前記再生手段によって再生される単一の動画の複数のシーンに対応する複数の縮小画を同時に表示する縮小画列を表示する縮小画列表示手段と、
前記縮小画列の中から指定された縮小画に対応するシーンへジャンプして動画再生を行なうよう前記再生手段を制御する再生制御手段と、
前記再生手段によって再生されているシーンに対応する縮小画が前記縮小画列に存在しなくなった場合に該再生手段で再生されているシーンに対応する縮小画を含むように該縮小画列の前記複数の縮小画の表示内容を更新する更新手段とを備えることを特徴とする動画像検索装置。
【請求項８】  前記縮小画列中の縮小画のうち、現在再生されているシーンに対応する縮小画を示すようにシンボルを表示するシンボル表示手段を更に備えることを特徴とする請求項７に記載の動画像検索装置。
【請求項９】  動画データを再生する再生手段と、
前記再生手段によって再生される単一の動画の複数のシーンに対応する複数の縮小画を同時に表示する縮小画列を表示する縮小画列表示手段と、
前記縮小画列の前記複数の縮小画の表示内容を前記再生手段による動画再生と同期させるべく、再生中のシーンに対応する縮小画を含むように該縮小画列における前記複数の縮小画の表示内容を更新する更新手段と、
前記縮小画列の中から指定された縮小画に対応するシーンへジャンプして動画再生を開始するとともに、前記更新手段による前記縮小画列における前記複数の縮小画の表示内容の更新を開始する再生制御手段と、
前記更新手段による更新を禁止して、前記縮小画列における前記複数の縮小画の表示内容を所定操作に応じて時間軸方向へスクロールするスクロール手段と、
前記スクロール手段によって前記更新手段による更新が禁止されている場合に、所定の操作状態を検出して該更新手段による更新を再開させる再開制御手段とを備えることを特徴とする動画像検索装置。
【請求項１０】  前記再開制御手段は、前記スクロール手段によって前記更新手段による更新が禁止された場合に、該更新手段による更新を再開させるためのユーザインターフェースを提供することを特徴とする請求項９に記載の動画像検索装置。
【請求項１１】  前記再開制御手段によって提供されるユーザインターフェースは操作アイコンであり、該操作アイコンに対して操作が検出された場合に前記更新手段の実行が再開されることを特徴とする請求項１０に記載の動画像検索装置。
【請求項１２】  前記再開制御手段は、前記スクロール手段におけるスクロールを指示するための操作が所定時間継続してなされなかった場合に前記更新手段による更新を再開させることを特徴とする請求項９に記載の動画像検索装置。
【請求項１３】  前記再開制御手段は、少なくとも前記スクロール手段に対応するユーザインターフェースの表示域を含む所定領域の外部に、所定時間継続してカーソルが存在した場合に前記更新手段による更新を再開させることを特徴とする請求項９に記載の動画像検索装置。
【請求項１４】  前記縮小画列中の、前記再生手段が再生しているシーンに対応する縮小画を指し示すシンボルを表示するシンボル表示手段を更に備え、
前記スクロール手段によって前記更新手段の実行が禁止されている間は、前記シンボルの表示形態が変更されることを特徴とする請求項９ないし１３のいずれか１項に記載の動画像検索装置。
【請求項１５】  縮小画を指定するためのカーソルが前記縮小画列の表示領域を含む所定域に存在する間、前記更新手段による前記縮小画列における前記複数の縮小画の表示内容の更新を禁止する禁止手段を更に備えることを特徴とする請求項９に記載の動画像検索装置。
【請求項１６】  前記スクロール手段によって前記更新手段の実行が禁止されている間に、前記縮小画列中の一つの縮小画が指定され、前記再生制御手段によって動画再生と更新手段の実行が再開される場合、該縮小画を指定したカーソルの位置を前記所定域の外部へ自動的に移動する移動手段を更に備えることを特徴とする請求項１５に記載の動画像検索装置。
【請求項１７】  前記再生手段は、前記スクロール手段が前記更新手段による前記縮小画列における前記複数の縮小画の表示内容の更新を禁止する間も、前記単一の動画の再生を継続することを特徴とする請求項９に記載の動画像検索装置。
【請求項１８】  動画データを再生する再生工程と、
前記再生工程によって再生される単一の動画の複数のシーンに対応する複数の縮小画を同時に表示する縮小画列を表示する縮小画列表示工程と、
前記縮小画列の中から指定された縮小画に対応するシーンへジャンプして動画再生を行なうよう前記再生工程を制御する再生制御工程と、
前記再生工程で再生されているシーンに対応する縮小画を含むように、該再生工程による動画再生と同期して前記縮小画列の前記複数の縮小画の表示内容を更新する更新工程と、
縮小画を指定するためのカーソルが、前記縮小画列から縮小画を指定可能な領域に存在する間、前記更新工程による縮小画列内の前記複数の縮小画の表示内容の更新を禁止する禁止工程とを備えることを特徴とする動画像検索方法。
【請求項１９】  動画データを再生する再生工程と、
前記再生工程によって再生される単一の動画の複数のシーンに対応する複数の縮小画を同時に表示する縮小画列を表示する縮小画列表示工程と、
前記縮小画列の中から指定された縮小画に対応するシーンへジャンプして動画再生を行なうよう前記再生工程を制御する再生制御工程と、
前記再生工程によって再生されているシーンに対応する縮小画が前記縮小画列に存在しなくなった場合に該再生工程で再生されているシーンに対応する縮小画を含むように該縮小画列の前記複数の縮小画の表示内容を更新する更新工程とを備えることを特徴とする動画像検索方法。
【請求項２０】  動画データを再生する再生工程と、
前記再生工程によって再生される単一の動画の複数のシーンに対応する複数の縮小画を同時に表示する縮小画列を表示する縮小画列表示工程と、
前記縮小画列内の前記複数の縮小画の表示内容を前記再生工程による動画再生と同期させるべく、再生中のシーンに対応する縮小画を含むように該縮小画列における前記複数の縮小画の表示内容を更新する更新工程と、
前記縮小画列の中から指定された縮小画に対応するシーンへジャンプして動画再生を開始するとともに、前記更新工程による前記縮小画列における前記複数の縮小画の表示内容の更新を開始する再生制御工程と、
前記更新工程による更新を禁止して、前記縮小画列における前記複数の縮小画の表示内容を所定操作に応じて時間軸方向へスクロールするスクロール工程と、
前記スクロール工程によって前記更新工程による更新が禁止されている場合に、所定の操作状態を検出して該更新工程による更新を再開させる再開制御工程とを備えることを特徴とする動画像検索方法。
【請求項２１】  請求項１８乃至２０のいずれか１項に記載の動画像検索方法をコンピュータに実現させるための制御プログラム。
【請求項２２】  請求項１８乃至２０のいずれか１項に記載の動画像検索方法をコンピュータに実現させるための制御プログラムを格納する記憶媒体。
【手続補正２】
【補正対象書類名】明細書
【補正対象項目名】００１０
【補正方法】変更
【補正の内容】
【００１０】
【課題を解決するための手段】
上記の目的を達成するための本発明による動画像検索装置は以下の構成を備える。すなわち、
動画データを再生する再生手段と、
前記再生手段によって再生される単一の動画の複数のシーンに対応する複数の縮小画を同時に表示する縮小画列を表示する縮小画列表示手段と、
前記縮小画列の中から指定された縮小画に対応するシーンへジャンプして動画再生を行なうよう前記再生手段を制御する再生制御手段と、
前記再生手段で再生されているシーンに対応する縮小画を含むように、該再生手段による動画再生と同期して前記縮小画列の前記複数の縮小画の表示内容を更新する更新手段と、
縮小画を指定するためのカーソルが、前記縮小画列から縮小画を指定可能な領域に存在する間、前記更新手段による縮小画列内の前記複数の縮小画の表示内容の更新を禁止する禁止手段とを備える。
【手続補正３】
【補正対象書類名】明細書
【補正対象項目名】００１１
【補正方法】変更
【補正の内容】
【００１１】
また、上記の目的を達成するための本発明の他の態様による動画像検索装置は以下の構成を備える。すなわち、
動画データを再生する再生手段と、
前記再生手段によって再生される単一の動画の複数のシーンに対応する複数の縮小画を同時に表示する縮小画列を表示する縮小画列表示手段と、
前記縮小画列の中から指定された縮小画に対応するシーンへジャンプして動画再生を行なうよう前記再生手段を制御する再生制御手段と、
前記再生手段によって再生されているシーンに対応する縮小画が前記縮小画列に存在しなくなった場合に該再生手段で再生されているシーンに対応する縮小画を含むように該縮小画列の前記複数の縮小画の表示内容を更新する更新手段とを備える。
【手続補正４】
【補正対象書類名】明細書
【補正対象項目名】００１２
【補正方法】変更
【補正の内容】
【００１２】
更に、上記の目的を達成するための本発明の他の態様による動画像検索装置は以下の構成を備える。すなわち、
動画データを再生する再生手段と、
前記再生手段によって再生される単一の動画の複数のシーンに対応する複数の縮小画を同時に表示する縮小画列を表示する縮小画列表示手段と、
前記縮小画列の前記複数の縮小画の表示内容を前記再生手段による動画再生と同期させるべく、再生中のシーンに対応する縮小画を含むように該縮小画列における前記複数の縮小画の表示内容を更新する更新手段と、
前記縮小画列の中から指定された縮小画に対応するシーンへジャンプして動画再生を開始するとともに、前記更新手段による前記縮小画列における前記複数の縮小画の表示内容の更新を開始する再生制御手段と、
前記更新手段による更新を禁止して、前記縮小画列における前記複数の縮小画の表示内容を所定操作に応じて時間軸方向へスクロールするスクロール手段と、
前記スクロール手段によって前記更新手段による更新が禁止されている場合に、所定の操作状態を検出して該更新手段による更新を再開させる再開制御手段とを備える。